(57)【要約】      （修正有）【課題】縦線材と横線材とが縦・横方向に格子状に交差され、その各交点を溶接で接合されたラスであって、その縦線材および横線材のうち一定本数置きの線材を縦線材、横線材よりも太径の縦力骨および横力骨として補強、補剛されたモルタル下地用ラス、および前記下地用ラスを使用してモルタルを塗り構築された建築物のモルタル壁構造を提供する。【解決手段】縦線材２および横線材３のうち一定本数置きの線材が縦線材、横線材よりも太径の縦力骨４および横力骨５とされており、縦力骨４又は横力骨５のいずれか一方又は双方に、一定間隔毎の位置に背面に向かって突き出る屈曲部４ａが形成されている。【選択図】図１
2010013886.tif 000002
【特許請求の範囲】
【請求項１】
縦線材と横線材とが縦・横方向に一定の間隔をあけて格子状に交差され、その各交点が接合されているラスにおいて、
前記縦線材および横線材のうち一定本数置きの線材が縦線材、横線材よりも太径の縦力骨および横力骨とされており、縦力骨又は横力骨のいずれか一方又は双方に、一定間隔毎の位置に背面に向かって突き出る屈曲部が形成されていることを特徴とする、モルタル下地用ラス。
【請求項２】
屈曲部は、縦力骨と横力骨の交点を外れた位置に形成されていることを特徴とする、請求項１に記載したモルタル下地用ラス。
【請求項３】
屈曲部が縦力骨と横力骨の交点位置に双方の力骨を屈曲させて形成されていることを特徴とする、請求項１に記載したモルタル下地用ラス。
【請求項４】
屈曲部を形成された縦力骨又は／および横力骨は明視色に着色されたカラー線材であることを特徴とする、請求項１ないし３のいずれか一に記載したモルタル下地用ラス。
【請求項５】
縦線材と横線材とが縦・横方向に一定の間隔をあけて格子状に交差され、その各交点が接合されているラスにおいて
前記縦線材および横線材のうち一定本数置きの線材が縦線材、横線材よりも太径の縦力骨および横力骨とされており、数本置きの縦線材又は横線材のいずれか一方又は双方に、一定間隔毎の位置に背面に向かって突き出る屈曲部が形成されていることを特徴とする、モルタル下地用ラス。
【請求項６】
屈曲部を形成された縦線材又は／および横線材は明視色に着色されたカラー線材であることを特徴とする、請求項５に記載したモルタル下地用ラス。
【請求項７】
建築物の壁部の柱材に設備された下地板へモルタル下地用ラスを接合して貼り付け、その上にモルタルを塗布して構築されるモルタル壁構造において、
上記請求項１ないし６のいずれか一に記載したモルタル下地用ラスの屈曲部を、ステープルにより下地板へ接合して同モルタル下地用ラスを下地板の面上に屈曲部の高さ相当だけ浮かせて貼り付け、該モルタル下地用ラスの上にモルタルを塗布し、モルタル層の厚さのほぼ中央にモルタル下地用ラスを位置させる層厚にモルタルを塗布して構築されていることを特徴とするモルタル壁構造。
【発明の詳細な説明】
【技術分野】
【０００１】
この発明は、縦線材と横線材とが縦・横方向に格子状に交差され、その各交点を溶接で接合されたラス（いわゆる溶接ラス又は溶接金網）であって、その縦線材および横線材のうち一定本数置きの線材を縦線材、横線材よりも太径の縦力骨および横力骨として補強、補剛されたモルタル下地用ラス、および前記下地用ラスを使用してモルタルを塗り構築された建築物のモルタル壁構造の技術分野に属する。
【背景技術】
【０００２】
従来、建築物のモルタル壁構造の構築に際しては、その下地材としてラス（モルタル下地用ラス）を使用し、下地板へ接合して貼り付けたモルタル下地用ラスにより、塗布したモルタルを保持させ、且つモルタル壁の強度を高めたモルタル壁構造が一般的に実施されている。
モルタル下地用ラスとしては、従来、いわゆるエキスパンドメタルラスを採用することが多く実施されてきた。例えば下記の特許文献１に記載された発明では、前記エキスパンドメタルラスの要所要所の位置に、下地板に向かって突き出る球状のコブを形成したモルタル下地用ラス、および前記モルタル下地用ラスのコブをステープルで下地板へ接合することにより当該モルタル下地用ラスを下地板の面上に浮かせて貼り付け、モルタル塗布層の中央部位に位置させたモルタル壁構造が提案されている。
【０００３】
また、下記の特許文献２に記載された発明では、エキスパンドメタルラスであるか溶接ラスであるかの別を問わず、同ラスの一方の面と他方の面とに分かれて、縦・横方向に一定の間隔をあけて縦力骨および横力骨を配置してラスを挟むように添設すると共に、前記縦力骨および横力骨の交差部の全部又は一部に、ラスの一側面から一定の高さで下地板に向かって突き出る突出交差部を形成し、前記突出交差部を下地板へ接合して同ラスを下地板の面上に浮かせる構成の力骨付きラスが提案されている。
【０００４】
更に、下記の特許文献３に記載された発明によれば、縦線材と横線材とが縦・横方向に一定の間隔をあけて格子状に交差され、その各交点が溶接で接合されたラス（溶接ラス）であって、前記縦線材および横線材のうち一定本数置きの線材が縦線材、横線材よりも太径の縦力骨および横力骨とされた構成の力骨付きモルタル下地用ラスが提案されている。
もっとも、この力骨付きモルタル下地用ラスの場合、縦線材および縦力骨をそれぞれ、横力骨との交点において下地板に向かって突き出るように波状に湾曲させ、同湾曲部の底に横力骨を配置して交差させ、縦線材および縦力骨との各交差部を溶接で接合した構成とされている。
【０００５】
【特許文献１】特許第３９０８８８８号（特開２００１-２７９９０２号）公報
【特許文献２】特許第３９３６５５７号（特開２００３-１３５７７号）公報
【特許文献３】特開２００７-６３８３５号公報
【発明の開示】
【発明が解決しようとする課題】
【０００６】
上記の特許文献１に記載されたモルタル下地用ラスは、いわゆるエキスパンドメタルラスの要所要所の位置に下地板に向かって突き出る球状のコブを形成した構成であり、コブの高さ分だけラスを下地板から浮かせて接合でき、もって同ラスをモルタル層の中央部へ位置させることができる。しかし、エキスパンドメタルラスは、その製造上の制約、限界として、製造可能なラスの幅寸法に制限があり、現場で必要とされる寸法のラスを提供し難いことが知られている。また、ロール状に丸めて運搬したり保管することが難しい上に、必要な寸法、形状に切断したり、建物の壁形状に合わせて折り曲げて使用することも難しいなど、使用上に不利、不便であることが知られ、最近では溶接ラスの採用が多くなっている。のみならず、特許文献１記載のエキスパンドメタルラスの場合は、一旦エキスパンドメタルラスとして製造した後の後加工として、要所要所の位置に球状のコブを形成する第二の工程を必要とするので、製造、加工の工程が多くなり、製造原価が高くなる欠点がある。
【０００７】
上記の特許文献２に記載された力骨付きラスは、エキスパンドメタルに限らず溶接金網を採用できるので、上記特許文献１の発明の問題点の多くは解決される。しかし、この特許文献２記載の力骨付きラスは、ラスの一方の面と他方の面とに分かれて、縦・横方向に一定の間隔をあけて縦力骨および横力骨を配置しラスの両面を挟むように添設した構成であり、同縦力骨および横力骨の交差部の全部又は一部に、製造工程の後加工として、下地板に向かって突き出る突出交差部を形成するから、やはり製造、加工の工程が多くなり、製造原価が高くなる欠点は依然解決できていない。また、縦力骨と横力骨の交差部の全部又は一部に前記突出交差部を下地板に向かって突き出るように形成する加工に際しては、縦力骨と横力骨がラスを間に挟んで対峙する関係にあること、および交差部によってはラスの構成線材が存在したり存在しなかったりする構造のばらつきもあるため、突出交差部を形成する加工にばらつきを生じて加工が難しく、加工の精度、信頼性を確保し難い欠点が認められる。
【０００８】
上記の特許文献３に記載されたモルタル下地用ラスは、縦線材と横線材とが縦・横方向に一定の間隔をあけて格子状に交差され、その各交点を溶接で接合された溶接ラスであり、前記縦線材および横線材のうち一定本数置きの線材を縦線材および横線材よりも太径の縦力骨および横力骨とした構成であるから、溶接ラスの構造、特長を具備する。
しかし、縦線材および縦力骨は、横力骨との交点において下地板に向かって突き出るように波状に湾曲させ、同湾曲部の底に横力骨を配置して交差させ、縦線材および縦力骨との各交差部を溶接で接合した構成であるため、せっかく横線材の一部がラスを補強する太径の横力骨とされた構成であるにもかかわらず、同公報の図３、図４の実施例に見るとおり、使用時の横力骨は、湾曲部の底に下地板と接するように位置し、塗布したモルタルを保持する作用、および同モルタル層を補強する作用に寄与する効果が極めて小さいという欠点が認められる。
【０００９】
本発明の目的は、縦線材と横線材とを縦・横方向に一定の間隔をあけて格子状に交差させ、その各交点を溶接で接合した構成で、しかも縦線材および横線材のうち一定本数置きの線材を縦線材、横線材よりも太径の縦力骨、横力骨として、溶接ラスの構造と特長を保持させた上で、縦力骨、横力骨のいずれか一方又は双方に、若しくは一定本数置きの縦線材、横線材のいずれか一方又は双方に、且つ一定間隔毎の位置に、下地板に向かって突き出る屈曲部を局部的に設けた構成とし、前記屈曲部をステープルで下地板へ接合し貼り付けると、当該ラスを構成する縦線材および横線材はもとより、縦力骨および横力骨の大部分が必ず下地板の面上一定の高さに浮いた使用状態となり、塗布したモルタル層の保持作用と補強作用に効果的に寄与する構成のモルタル下地用ラス、及びこの下地用ラスを使用して構築した建築物のモルタル壁構造を提供することである。
【課題を解決するための手段】
【００１０】
上記従来技術の課題を解決するための手段として、請求項１に記載した発明に係るモルタル下地用ラス１は、
縦線材２と横線材３とが縦・横方向に一定の間隔をあけて格子状に交差され、その各交点が接合されているラスにおいて、
前記縦線材２および横線材３のうち一定本数置きの線材が縦線材、横線材よりも太径の縦力骨４および横力骨５とされており、縦力骨４又は横力骨５のいずれか一方又は双方に、一定間隔毎の位置に背面に向かって突き出る屈曲部４ａ、５ａが形成されていることを特徴とする。
【００１１】
請求項２に記載した発明は、請求項１に記載したモルタル下地用ラスにおいて、
屈曲部４ａ、５ａは、縦力骨４と横力骨５の交点を外れた位置に形成されていることを特徴とする。
請求項３に記載した発明は、請求項１に記載したモルタル下地用ラスにおいて、
屈曲部４ａ、５ａが縦力骨４と横力骨５の交点位置に双方の力骨を屈曲させて形成されていることを特徴とする。
請求項４に記載した発明は、請求項１ないし３のいずれか一に記載したモルタル下地用ラスにおいて、
屈曲部４ａ、５ａを形成された縦力骨４又は／および横力骨５は明視色に着色されたカラー線材であることを特徴 とする。
【００１２】
請求項５に記載した発明に係るモルタル下地用ラス１は、
縦線材２と横線材３とが縦・横方向に格子状に交差され、その各交点が接合されているラスでにおいて、
前記縦線材２および横線材３のうち一定本数置きの線材が縦線材、横線材よりも太径の縦力骨４および横力骨５とされており、数本置きの縦線材２又は横線材３のいずれか一方又は双方に、一定間隔毎の位置に下地板７に向かって突き出る屈曲部２ａが形成されていることを特徴とする。
請求項６に記載した発明は、請求項５に記載したモルタル下地用ラスにおいて、
屈曲部２ａを形成された縦線材２又は／および横線材３は明視色に着色されたカラー線材であることを特徴とする。
【００１３】
請求項７に記載した発明に係るモルタル構造は、
建築物の壁部の柱材に設備された下地板へモルタル下地用ラスを接合して貼り付け、その上にモルタルを塗布して構築されるモルタル壁構造において、
上記請求項１ないし６のいずれか一に記載したモルタル下地用ラス１の屈曲部４ａ、５ａ又は２ａを、ステープル８により下地板７へ接合して同モルタル下地用ラス１を下地板７の面上に屈曲部４ａ、５ａ又は２ａの高さ相当だけ浮かせて貼り付け、該モルタル下地用ラス１の上にモルタル９を塗布し、モルタル層の厚さのほぼ中央にモルタル下地用ラス１を位置させる層厚にモルタルを塗布して構築されていることを特徴とする。
【発明の効果】
【００１４】
請求項１〜６に係る発明のモルタル下地用ラス１は、例えば図１と図２、および図４と図５に見る通り、ステープル８により下地板７へ接合する屈曲部４ａ、５ａ又は２ａが、縦力骨４又は／および横力骨５のいずれか一方又は双方に、あるいは数本置きの縦線材２又は／および横線材３のいずれか一方又は双方に、一定間隔毎の位置にいわゆる局部的に形成されるが、同屈曲部を除く縦力骨４および横力骨５の全部（全長）、および縦線材２、横線材３の全部（全長）がそれぞれラス平面を形成する構成要素となり、このモルタル下地用ラス１は、各線材および各力骨の全部が、塗布されたモルタル９を保持する作用、およびモルタル層を補強、補剛する作用に有効に効果的に寄与する。よって、このモルタル下地用ラス１を使用して構築した請求項７記載のモルタル壁構造は、高安定で高強度、高品質のものとなる。
【００１５】
しかも請求項１〜６に係る発明のモルタル下地用ラス１は、縦線材２と横線材３および縦力骨４と横力骨５をそれぞれ相互に接合したワイヤーラスの構成であるから、製造するモルタル下地用ラス１の寸法は、現場での使用条件に適応するように自由に設計して製造できる。また、長手方向には無限長に連続する製造を行えるから、製造の効率が高く、生産性に優れ、製造原価の引き下げに有利である。もちろん、溶接ラスの特長として、ロール状に丸めて運搬したり保管すること、あるいは現場で必要な寸法に裁断したり、壁の形状や構造に応じて折り曲げて使用することも自在にでき、使い勝手が良く至便である。
モルタル下地用ラス１の屈曲部４ａ、５ａ又は２ａの形成は、該当する線材又は力骨に製造工程の予備段階で予め形成しておくか、又は溶接ラスとして製造した直後の工程で必要な位置へ後加工として形成できる自由度があり、製造工程上有利である。また、屈曲部４ａ、５ａ又は２ａを形成する線材に予め赤色や黄色等に着色したカラー線材を選択して使用することで、屈曲部の存在や位置を目視で確認しやすくできる。
【発明を実施するための最良の形態】
【００１６】
縦線材２と横線材３とを縦・横方向に一定の間隔をあけて格子状に交差させ、その各交点を接合したラスであり、前記縦線材２および横線材３のうち一定本数置きの線材を縦線材、横線材よりも太径の縦力骨４および横力骨５として（配置して）、縦力骨４又は／および横力骨５のいずれか一方又は双方に、一定間隔毎の位置に下地板７に向かって突き出る屈曲部４ａ、５ａ又は２ａを形成する。
前記屈曲部４ａ、５ａは、縦力骨４と横力骨５の交点を外れた位置に形成する。又は縦力骨４と横力骨５の交点位置に、双方の力骨を湾曲させて形成する。屈曲部４ａ、５ａを形成する縦力骨４又は／および横力骨５は赤色又は黄色などの明視色に着色されたカラー線材とする。
あるいは屈曲部２ａの形成は、縦力骨と横力骨ではなく、複数本置きの縦線材２又は／および横線材３に、一定間隔毎の位置に下地板７に向かって突き出るように形成する。
【００１７】
上記構成のモルタル下地用ラス１は、建築物の壁部の柱材間に設備された下地板７へ屈曲部４ａ、５ａ又は２ａをステープル８により接合して、同下地板７の面上へ屈曲部の高さ相当だけ浮いた状態に貼り付ける。そして、該モルタル下地用ラス１の上にモルタル９を塗布し、モルタル層の厚さのほぼ中央にモルタル下地用ラス１を位置させてモルタル壁を構築する。
【実施例１】
【００１８】
次に、本発明に係るモルタル下地用ラスを、図面に示した実施例に基づいて説明する。
先ず図１に一部分を拡大して示したモルタル下地用ラス１は、外径が０．６ｍｍ〜１．０ｍｍ程度に細い縦線材２と横線材３とを、縦・横方向に一例として１５０ｍｍ程度の等間隔をあけて直交する格子状配置に交差させ、その各交点を溶接で接合して網状に構成した、いわゆる溶接ラスである。しかも前記縦線材２および横線材３のうち、例えば図２の実施例では８本おきの線材には、前記縦線材２、横線材３に比して外径が１．６ｍｍ〜２．３ｍｍと少し太径の縦力骨４および横力骨５を配置して、強度および剛性の大きい力骨付き溶接ラスが構成されている。
【００１９】
更に、図１および図２の実施例では、上記縦力骨４に、しかも図２および図３の実施例では、縦力骨４の長手方向に、縦力骨４が横力骨５と交差した位置に隣接する升目の位置毎に１個づつ局部的に、同ラスの背面（背面側の下地板７）に向かって突き出る屈曲部４ａが、高さが７ｍｍ〜８ｍｍ程度のＶ字形状に形成されている。
したがって、図２、図３に示したように、各屈曲部４ａをステープル８により押さえ付けて下地板７へ接合することにより、このモルタル下地用ラス１は、屈曲部４ａの高さ相当分だけ下地板７の板面から浮いた状態に貼り付けられる。よって、塗布したモルタル９の層厚のほぼ中央部位にモルタル下地用ラス１を位置させる施工ができ、塗布したモルタル９を保持する作用、およびモルタル層９を補強、補剛する作用に、縦線材２と横線材３の全部（全長）、および縦力骨４と横力骨５の全部が有効に寄与して、優れた下地処置の効果を発揮する。
【００２０】
もっとも、屈曲部を形成する対象は上記縦力骨４に限らず、横力骨５に同様に設けても良い。或いは縦力骨４と横力骨５の双方に形成して、上記同様の作用効果を得ることもできる。
あるいは図４に示した実施例のように、縦力骨４と横力骨５の交点位置に、縦力骨４と横力骨５の双方をＶ字形状に屈曲させた屈曲部４ａと５ａを局部的に形成して、双方の屈曲部４ａと５ａを交差させた構成で実施することもでき、この構成でも上記実施例と同様の作用効果を得ることができる。
【００２１】
なお、上記の各実施例における縦力骨４と横力骨５は、縦線材２と横線材３に比して太径であるが、前者の外径が１．６ｍｍ程度であるのに、後者の外径は０．９ｍｍと若干の差異でしかなく、さほどに目立たない。しかも、そうした力骨を局部的にＶ字形状等に屈曲して形成したにすぎない屈曲部４ａ、５ａは更に目立たず、多忙な現場で作業者が目視により屈曲部を探し出して接合する作業が煩わしいとされる。よって、少なくとも屈曲部４ａ又は５ａを形成された縦力骨４、横力骨５には、赤色又は黄色等の明視色に着色されたカラー線材を使用して、屈曲部４ａ又は５ａを探し出す目印とし、無駄な時間を省く構成の実施例とすることが好ましい。
【実施例２】
【００２２】
上記実施例１のモルタル下地用ラス１は、屈曲部を太径の縦力骨４および／又は横力骨５に形成する構成であったが、これに限らない。そもそも太径の縦力骨４と横力骨５に、その一部分であるとはいえ、屈曲部を形成してモルタル保持力、モルタル層の補強、補剛の効果を低下させることは不経済である。よって、図５に示した実施例２では、細径の縦線材２又は横線材３のうち、一定本数置き（屈曲部を接合して当該ラスを下地板へ貼り付け固定する効果に有効な間隔をあけた配置）のいずれか一方又は双方の線材に屈曲部を形成して代替え手段とした構成の例を示す。
本実施例２の場合も、縦線材２と横線材３とが縦・横方向に格子状に交差され、その各交点が接合された溶接ラスにおいて、前記縦線材２および横線材３のうち一定本数置きの線材を縦線材２、横線材３よりも太径の縦力骨４および横力骨５に置換する構成までは、上記実施例１と共通する。
本実施例２の特徴は、上記の一定本数置きの細径の縦線材２又は横線材３のいずれか一方又は双方の線材について、下地板７へ接合し固定するのに適切な一定間隔毎の位置に、同ラスの背面（の下地板７）に向かって突き出る屈曲部を形成した構成にある。図５は、一定本数置きの縦線材２の長手方向に一定間隔をあけた位置毎に、特に言えば、ラスの升目を形成する線分の位置に、Ｖ字形状の屈曲部２ａが形成された構成の例を示している。
【００２３】
もとより、屈曲部２ａの形成は、図４の実施例と同様に、縦線材２および横線材３の交点位置に、双方の線材に屈曲部を形成して交差させた構成で実施することもできる。縦線材２および横線材３は、上記したように細径であるから、単独の屈曲部ではステープル８で下地板７へ接合する際に十分強固な接合を行い難い懸念もあるが、図４の実施例と同様に、縦線材２および横線材３の交点位置に、双方の線材をそれぞれ屈曲して合同の屈曲部を形成して交差させた構成にすると、２本の線材の重なりで嵩高となり、ステープルで押さえ付けて止める作業を確実に楽に行えて好都合となる。  
本実施例２の場合にも、少なくとも屈曲部２ａを形成される縦線材２又は横線材３には、赤色又は黄色等の明視色に着色されたカラー線材を使用すると、現場での使用に際して、目視により屈曲部２ａを探し出す時間や面倒さを省けて好都合である。
【実施例３】
【００２４】
図３に、本発明の上記構成のモルタル下地用ラス１を使用して建築物のモルタル壁を構築した実施例を示した通り、建築物の壁部の柱材に設備された下地板７へ上記構成のモルタル下地用ラス１の上記屈曲部４ａ、５ａ或いは２ａの頂部を当てがい、ステープル８により下地板７へ止め付けて接合すると、同モルタル下地用ラスは、下地板７の面上に屈曲部４ａの高さ相当分だけ浮かせて貼り付けることができる。そこで該モルタル下地用ラス１の上から下地板７に向かってモルタル９を塗布すると、同モルタル９はモルタル下地用ラス１を構成する各線材および力骨の略全長が有効に効果的に働いて保持され、垂れ落ちが防止され、モルタル塗り作業がはかどる。そして、塗布したモルタル層９の厚さのほぼ中央部位にモルタル下地用ラス１を位置させることが可能となり、安定で高強度、高品質のモルタル壁構造を能率良く構築することができる。
【００２５】
以上に本発明を図示した実施例に基づいて説明したが、勿論、本発明は図示した実施例に限定されるものではない。本発明の目的と要旨を逸脱しない範囲で、当業者が必要に応じて行う設計変更を含め、更に多様に実施することができることを申し添える。
【図面の簡単な説明】
【００２６】
【図１】本発明に係るモルタル下地用ラスの実施例を、主要部を拡大して示した斜視図である。
【図２】図１のモルタル下地用ラスを下地板へ貼り付けたモルタル壁の施工状態を示す斜視図である。
【図３】図２のIII−III線矢視の断面図である。
【図４】モルタル下地用ラスの異なる構成の実施例を、主要部を拡大して示した斜視図である。
【図５】本発明に係るに係るモルタル下地用ラスの他の実施例を、主要部を拡大して示した斜視図である。
【符号の説明】
【００２７】
１          モルタル下地用ラス
２          縦線材
３          横線材
４          縦力骨
５          横力骨
７          下地板
４ａ、５ａ  屈曲部
２ａ        屈曲部
９          モルタル
【図１】
2010013886.tif 000003
【図２】
2010013886.tif 000004
【図３】
2010013886.tif 000005
【図４】
2010013886.tif 000006
【図５】
2010013886.tif 000007